(57)【要約】【課題】医療従事者や看護者の負担を軽減し、患者の不穏行動を予測して、その旨を医療従事者や看護者に報知する行動予測システムを提供する。【解決手段】ナースコール親機２は、患者携帯端末２００が計測した患者Ｐのバイタル情報を集計するとともに、気象情報取得装置３００が観測した気象情報を集計しておく。そして、患者Ｐの不穏行動に関する情報（患者名、行動内容および行動時刻）をナースコール親機２に入力し、これら情報に基づいて、ナースコール親機２は不穏行動を取った患者Ｐの身体状態と環境を分析し、不穏行動を取る可能性が高い状況を条件情報として記録しておく。そして、バイタル情報の集計を継続し、この集計結果が上記条件情報に一致あるいは類似する場合に、タッチパネル／表示器２７１や携帯端末７１〜７ｍを通じて、不穏行動を取る可能性が高い表示される患者を医療従事者に報知するようにしたものである。【選択図】      図１
2006079328.tif 000002
【特許請求の範囲】
【請求項１】
予め設定した身体情報を記憶する記憶手段と、
患者から身体の状態を示す情報を検出する検出手段と、
この検出手段が検出した情報と、前記記憶手段が記憶する身体情報とを比較して、前記患者が不穏な行動を取る虞があるか否かを判定する判定手段と、
この判定手段が不穏な行動を取る虞があると判定した場合に、この旨を報知する報知手段とを具備することを特徴とする行動予測システム。
【請求項２】
さらに、身体の状態を示す情報を入力する入力手段を備え、
前記記憶手段は、前記入力手段を通じて入力された情報を前記身体情報として記憶することを特徴とする請求項１に記載の行動予測システム。
【請求項３】
さらに、時刻を計時する計時手段と、
前記検出手段が検出した情報を、前記計時手段が計時する時刻に対応づけて記憶する累積記憶手段と、
時刻を入力する入力手段と、
前記記憶手段は、前記累積記憶手段が記憶する情報のうち、前記入力手段を通じて入力された時刻に対応づけられた情報を前記身体情報として記憶することを特徴とする請求項１に記載の行動予測システム。
【請求項４】
予め設定した気象情報を記憶する記憶手段と、
気象情報を検出する検出手段と、
この検出手段が検出した気象情報と、前記記憶手段が記憶する気象情報とを比較して、前記患者が不穏な行動を取る虞があるか否かを判定する判定手段と、
この判定手段が不穏な行動を取る虞があると判定した場合に、この旨を報知する報知手段とを具備することを特徴とする行動予測システム。
【請求項５】
さらに、気象情報を入力する入力手段を備え、
前記記憶手段は、前記入力手段を通じて入力された情報を気象情報として記憶することを特徴とする請求項４に記載の行動予測システム。
【請求項６】
さらに、時刻を計時する計時手段と、
前記検出手段が検出した気象情報を、前記計時手段が計時する時刻に対応づけて記憶する累積記憶手段と、
時刻を入力する入力手段と、
前記記憶手段は、前記累積記憶手段が記憶する情報のうち、前記入力手段を通じて入力された時刻に対応づけられた情報を前記気象情報として記憶することを特徴とする請求項４に記載の行動予測システム。
【発明の詳細な説明】
【技術分野】
【０００１】
この発明は、例えば病院に入院する患者の不穏な行動を予測する行動予測システムに関する。
【背景技術】
【０００２】
周知のように、精神障害や痴呆症を患う患者や被介護者は、時として不穏な行動を取ることがある。医療従事者や看護者にとって、不穏行動を取る患者や被介護者には大きな労力を費やすという問題があった。人手の少ない夜間勤務の看護師や、在宅看護を行う家族にとっては、非常に大きな負担となっている。
【０００３】
これに対して従来は、患者や被介護者の容態を監視して、危険な状態などに陥った場合に、その旨を医療従事者や看護者に報知するナースコールシステム（例えば、特許文献１参照）が考えられていたが、不穏行動については、センサなどで検出することができなかった。
【特許文献１】特開２００２−２８１１６７公報
【発明の開示】
【発明が解決しようとする課題】
【０００４】
従来は、医療従事者や看護者にとって、不穏行動を取る患者や被介護者には大きな労力を費やすという問題があり、特に人手の少ない夜間勤務の看護師や、在宅看護を行う家族にとっては、非常に大きな負担となっていた。  
この発明は上記の問題を解決すべくなされたもので、医療従事者や看護者の負担を軽減し、患者の不穏行動を予測して、その旨を医療従事者や看護者に報知する行動予測システムを提供することを目的とする。
【課題を解決するための手段】
【０００５】
上記の目的を達成するために、この発明は、予め設定した身体情報を記憶する記憶手段と、患者から身体の状態を示す情報を検出する検出手段と、この検出手段が検出した情報と、記憶手段が記憶する身体情報とを比較して、患者が不穏な行動を取る虞があるか否かを判定する判定手段と、この判定手段が不穏な行動を取る虞があると判定した場合に、この旨を報知する報知手段とを具備して構成するようにした。
【発明の効果】
【０００６】
以上述べたように、この発明では、予め設定した身体情報と、患者から検出した身体情報とを比較して、患者が不穏な行動を取る虞があるか否かを判定し、その虞がある場合に、この旨を報知するようにしている。
【０００７】
したがって、この発明によれば、患者が以前に不穏行動を取った際の身体情報を記録しておき、この条件に一致あるいは類似するような状況となった場合に、その旨を医療従事者や看護者に報知するので、患者の不穏行動を予測して、その旨を医療従事者や看護者に報知でき、医療従事者や看護者の負担を軽減することが可能な行動予測システムを提供できる。
【発明を実施するための最良の形態】
【０００８】
以下、図面を参照して、この発明の一実施形態について説明する。  
図１は、この発明の一実施形態に係わる行動予測システムの概略構成図である。なお、この実施形態では病棟に設置される看護支援用のナースコールシステムに適用した場合を例に挙げて説明する。
【０００９】
このナースコールシステムは、各病室の入口近傍の廊下側壁面や、トイレ、浴室など設置される病室ユニット１１〜１ｎと、ナースセンタに設置されるセンタ装置として機能するナースコール親機２とを備え、病室ユニット１１〜１ｎとナースコール親機２との間はそれぞれ通信線路を介して接続される。患者Ｐには、患者携帯端末２００が装着される。
【００１０】
またこのナースコールシステムは、例えば病院内の通信センタに設置されるハンディナースコール主装置３および構内交換機（ＰＢＸ：Private Branch Exchange）４を備え、ハンディナースコール主装置３には無線ユニット６が接続され、またＰＢＸ４は公衆網５に接続される。
【００１１】
さらに、上記ナースコール親機２は、例えばＬＡＮ（Local Area Network）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９およびプリンタ１０をＬＡＮ７に接続するためのハブである。
【００１２】
ハンディナースコール主装置３は、例えば構内ＰＨＳ（Personal Handyphone System）対応の交換装置からなるもので、交換制御部やタイムスイッチの他に、複数の内線Ｉ／Ｆと、局線Ｉ／Ｆと、保守Ｉ／Ｆとを備える。内線Ｉ／Ｆにはそれぞれ無線ユニット６の無線基地局６１，６２が接続される。
【００１３】
無線基地局６１，６２はそれぞれ無線エリアを形成し、この無線エリア内に存在する携帯端末７１〜７ｍとの間で無線回線を介して接続される。局線Ｉ／ＦにはＰＢＸ４が接続される。携帯端末７１〜７ｍは、医者や看護師などの医療従事者が携帯する。
【００１４】
病室ユニット１１〜１ｎは、病室の天井等に設置されたマイクロホン１０１およびスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。
【００１５】
また病室ユニット１１〜１ｎは、ハンド型子機１０９、握り押しボタン１１０および増設無線端末１１００を備え、これらは病床の壁に設けられたインターフェース盤１０８を介して上記個別情報廊下灯１０７に接続される。
【００１６】
このうち、握り押しボタン１１０およびトイレ・浴室用押しボタン１０３は患者（あるいは被介護者）が看護師を呼び出す際に使用するもので、インターフェース盤１０８またはＩ／Ｏユニット１０６の接続端子（図示しない）に接続され、インターフェース盤１０８またはＩ／Ｏユニット１０６を介して個別情報廊下灯１０７に接続される。
【００１７】
そして、握り押しボタン１１０およびトイレ・浴室用押しボタン１０３は、患者によって操作されると操作信号がそれぞれインターフェース盤１０８またはＩ／Ｏユニット１０６を介して個別情報廊下灯１０７に出力される。
【００１８】
また、インターフェース盤１０８に設けられた押しボタンが押下された場合にも、操作信号が個別情報廊下灯１０７に伝えられる。増設無線端末１１００もインターフェース盤１０８の接続端子に着脱自在に接続され、種々の信号をインターフェース盤１０８を通じて個別情報廊下灯１０７に出力するが、詳細については後述する。
【００１９】
個別情報廊下灯１０７は、上記操作信号を受信すると、自身の表示部に呼出の発生を表示する。またそれと共に、呼出信号を生成してナースコール親機２へ送信する。呼出信号には、トイレ・浴室用押しボタン１０３、ハンド型子機１０９および握り押しボタン１１０にそれぞれ固有に割り振られたアドレス情報が挿入される。増設無線端末１１００から入力される信号については、個別情報廊下灯１０７は、そのままナースコール親機２へ送信する。
【００２０】
マイクロホン１０１とスピーカ１０２、ハンド型子機１０９およびインターフェース盤１０８は、患者が呼出に対し応答した看護師と通話を行うために使用するもので、その通話信号は通話路を介してナースコール親機２へ送信される。通話路は、ナースコール親機２において看護師が患者の呼出に対し応答操作することにより確立される。なお、復旧ボタン１０５は上記呼出をリセットする場合に使用される。
【００２１】
増設無線端末１１００および患者携帯端末２００は、図２に示すように構成される。  増設無線端末１１００は、予め所定の患者携帯端末２００と対応づけられたものであって、無線通信部１１０１と、通信Ｉ／Ｆ１１０２と、記憶部１１０３と、表示部１１０４と、操作部１１０５と、警報部１１０６と、制御部１１１０とを備える。
【００２２】
無線通信部１１０１は、患者携帯端末２００との間に無線通信リンクを開設して、患者携帯端末２００からバイタル情報を受信するものである。通信Ｉ／Ｆ１１０２は、インターフェース盤１０８に着脱自在なインターフェースであって、個別情報廊下灯１０７およびインターフェース盤１０８を通じて、ナースコール親機２と通信するためのインターフェースである。
【００２３】
記憶部１１０３は、制御部１１１０の制御プログラムや制御データを記憶する他に、無線通信部１１０１や通信Ｉ／Ｆ１１０２を通じて受信したデータを記憶するものである。表示部１１０４は、ＬＣＤなどを用いた表示部であって、文字や図形など種々の画像を表示するものである。
【００２４】
操作部１１０５は、押しボタン式のスイッチなどで構成されるもので、患者Ｐが呼び出しを行う際に操作したり、呼び出しを解除するために医療従事者が操作するものである。警報部１１０６は、患者Ｐから呼び出し要求を受け付けた場合にその旨を報知するための警報音や光を発するものである。
【００２５】
制御部１１１０は、当該増設無線端末１１００の各部を統括して制御するものであって、記憶部１１０３に記憶される制御プログラムや制御データにしたがって種々の制御を行うものである。
【００２６】
その１つの制御動作として、制御部１１１０は、患者携帯端末２００からバイタル情報を受信すると、通信Ｉ／Ｆ１１０２を制御して、ナースコール親機２に対して通信要求を行い、ナースコール親機２との間に通信リンクを開設して、この通信リンクを通じて上記バイタル情報をナースコール親機２に送信する。
【００２７】
また患者携帯端末２００は、入院する患者Ｐよりバイタル情報を収集するものであって、患者Ｐに装着され、操作部２０１と、無線通信部２０２と、表示部２０３と、警報部２０４と、記憶部２０５と、通話部２０６と、センサ部２０７と、タイマ２０８と、バッテリ２０９と、制御部２１０とを備える。
【００２８】
上記バイタル情報としては、例えば体温、血圧、心拍、脳波、血液成分、睡眠中か否かなどが考えられる。これに伴い、これらの検出する情報に応じた患者Ｐの部位に必要なセンサが取り付けられるものとする。
【００２９】
操作部２０１は、ＯＮ／ＯＦＦスイッチや回転式のボリュームスイッチなどで構成されるもので、バイタル情報を取得するためのセンサ設定などを行うために、医療従事者によって操作される。
【００３０】
無線通信部２０２は、増設無線端末１１００の無線通信部１１０１との間に無線通信リンクを開設して無線通信を行うものである。表示部２０３は、ＬＣＤなどを用いた表示部であって、文字や図形など種々の画像を表示するものである。警報部２０４は、音や光を発するものである。
【００３１】
記憶部２０５は、制御部２１０の制御プログラムや制御データを記憶する他に、当該患者携帯端末２００に固有に割り当てられた識別情報Ｐ−ＩＤや、後述するセンサ部２０７によって検出されたバイタル情報を、タイマ２０８が計時する時刻に対応づけて記憶するものである。
【００３２】
通話部２０６は、マイクロホンとスピーカを備えたものであって、上記マイクロホンより入力される患者の音声を符号化して音声データに変換して制御部２１０に出力し、また制御部２１０から与えられる音声データを復号して音声信号に変換し上記スピーカより拡声出力する。
【００３３】
センサ部２０７は、患者Ｐのバイタル情報（例えば体温、血圧、心拍、脳波、血液成分、睡眠中か否かなど）を検出するものであって、これらの検出したバイタル情報を制御部２１０に出力する。
【００３４】
タイマ２０８は、時刻を計時する機能と、制御部２１０からの指示に応じて時間を計る機能を備えもので、現在の時刻および計測した時間を制御部２１０に通知する。バッテリ２０９は、当該患者携帯端末２００の各部に動作電力を供給するものである。
【００３５】
制御部２１０は、当該患者携帯端末２００の各部を統括して制御するものであって、記憶部２０５に記憶される制御プログラムにしたがって種々の制御を行い、例えば、増設無線端末１１００との間の通信制御、センサ部２０７にて検出したバイタル情報にタイマ２０８が計時した時刻情報を付加して記憶部２０５に記録する制御、この記憶部２０５に記録されたバイタル情報に識別情報Ｐ−ＩＤを付加して無線送信する制御などを行うものである。
【００３６】
ナースコール親機２は、図３に示すように構成される。ナースコール親機２は、制御部２０と、プログラムメモリ２１と、データメモリ２２と、通信Ｉ／Ｆ２３，２４，２９と、ネットワークＩ／Ｆ２５と、通話Ｉ／Ｆ２６と、入力表示Ｉ／Ｆ２７と、タイマ２８とを備える。
【００３７】
制御部２０は、当該ナースコール親機２の各部を統括して制御するものであって、プログラムメモリ２１に記憶される制御プログラムや制御データにしたがって種々の制御を行うものである。
【００３８】
また制御部２０は、データメモリ２２が接続されており、さらに通信Ｉ／Ｆ２３，２４，２９と、ネットワークＩ／Ｆ２５と、通話Ｉ／Ｆ２６と、入力表示Ｉ／Ｆ２７と、タイマ２８がそれぞれ接続されている。
【００３９】
データメモリ２２は、患者携帯端末２００の識別情報Ｐ−ＩＤと患者名を対応づけた端末管理テーブルと、患者名とバイタル情報を対応づけて記憶するバイタル情報管理テーブルと、患者名、不穏行動の内容および不穏行動が確認された際の条件情報を対応づけて記憶する条件管理テーブルと、気象情報と時刻データを対応づけた気象情報テーブルを記憶するものである。
【００４０】
通信Ｉ／Ｆ２３は、制御部２０の制御の下、上記各病室ユニット１１〜１ｎとの間で信号の伝送を行う。同様に通信Ｉ／Ｆ２４は、制御部２０の制御の下、上記ハンディナースコール主装置３との間で信号の送受信を行う。ネットワークＩ／Ｆ２５は、制御部２０の制御の下、上記ＬＡＮ７との間で信号の送受信を行う。
【００４１】
通話Ｉ／Ｆ２６には、看護師が通話を行うために使用するマイクロホン２６１およびスピーカ２６２が接続されている。通話Ｉ／Ｆ２６は、病室ユニット１１〜１ｎとの間に通信リンクが形成された状態で、マイクロホン２６１から出力された話者の送話信号を符号化して制御部２０へ出力するとともに、制御部２０から供給された受話データを復号して受話信号を再生し、この受話信号をスピーカ２６２から拡声出力する。またスピーカ２６２は、患者から呼出が発生した時に鳴音やメロディを出力する際にも使用される。
【００４２】
入力表示Ｉ／Ｆ２７には、タッチパネル／表示器２７１が接続される。タッチパネル／表示器２７１は、例えばＣＲＴまたはＬＣＤからなる表示器の表示画面上に透明感圧シートを貼付したもので、情報の表示機能と入力機能とを併せ持っている。
【００４３】
また入力表示Ｉ／Ｆ２７は、制御部２０から供給された表示情報を上記タッチパネル／表示器２７１に表示すると共に、タッチパネル／表示器２７１を通じて入力された操作情報を制御部２０に供給する。
【００４４】
タイマ２８は、時刻を計時する機能と、制御部２０からの指示に応じて時間を計る機能を備えもので、現在の時刻および計測した時間を制御部２０に通知する。通信Ｉ／Ｆ２９には、気象情報取得装置３００が接続され、この装置より気象情報を取得し、制御部２０に出力する。
【００４５】
気象情報取得装置３００は、病院内および病院外の気温、湿度、気圧、天気などを予め設定した時刻に観測し、これらの観測結果を観測時刻の情報に対応づけて、気象情報としてナースコール親機２に出力するものである。
【００４６】
次に、上記構成のナースコールシステムの動作について説明する。以下の説明では特に、この発明に関わる、患者携帯端末２００が装着された患者Ｐの不穏行動の予測に関する動作について説明する。患者Ｐからの呼び出しなど、通常のナースコール動作についての説明は省略する。
【００４７】
図４は、不穏行動の予測動作を説明するためのフローチャートであって、ナースコール親機２の制御部２０によってなされる制御動作を示すものである。この動作は、電源が投入されると電源が切られるまで繰り返し実行される。なお、このフローチャートの元となる制御プログラムは、プログラムメモリ２１に記憶されており、電源投入により制御部２０がプログラムメモリ２１から上記制御プログラムを読み込んで実行する。
【００４８】
まず、ステップ４ａにおいて制御部２０は、通信Ｉ／Ｆ２３を監視し、病室ユニット１１を通じて増設無線端末１１００から通信要求が生じていないかを判断する。ここで、増設無線端末１１００から通信要求が生じている場合には、ステップ４ｂに移行し、一方、通信要求が生じていない場合には、ステップ４ｆに移行する。
【００４９】
ステップ４ｂにおいて制御部２０は、通信Ｉ／Ｆ２３を制御して、病室ユニット１１を通じて増設無線端末１１００から、識別情報Ｐ−ＩＤが付加されたバイタル情報を受信し、ステップ４ｃに移行する。
【００５０】
ステップ４ｃにおいて制御部２０は、ステップ４ｂにて受信したバイタル情報の集計処理を実施する。具体的には、制御部２０は、データメモリ２２が記憶する端末管理テーブルを参照し、ステップ４ｂにて受信したバイタル情報に付加された識別情報Ｐ−ＩＤに対応する患者名を検出する。
【００５１】
そして、制御部２０は、データメモリ２２が記憶するバイタル情報管理テーブルのバイタル情報のうち、上記検出した患者名に対応させて、ステップ４ｂにて受信したバイタル情報を追加記録し、ステップ４ｄに移行する。
【００５２】
ステップ４ｄにおいて制御部２０は、ステップ４ｃにて新たに集計されたバイタル情報と、最新の気象情報と、データメモリ２２が記憶する条件管理テーブルの条件情報に基づいて、患者Ｐが不穏行動を取る可能性が高い状況となっているか否かを判定する。
【００５３】
具体的には、制御部２０は、データメモリ２２が記憶する条件管理テーブルから、ステップ４ｃで検出した患者名に対応する条件情報を抽出するとともに、気象情報テーブルから最新の気象情報を抽出する。
【００５４】
そして、ステップ４ｃにて新たに集計したバイタル情報、および上記抽出した最新の気象情報が、上記抽出した条件情報に一致または類似しているか否かを判定する。ここで、バイタル情報および最新の気象情報が、上記抽出した条件情報に一致または類似している場合には、患者Ｐが不穏行動を取る可能性が高い状況にあるものと判断して、ステップ４ｅに移行し、上記抽出した条件情報に一致も類似もしていない場合には、患者Ｐが不穏行動を取る可能性が低い状況にあるものと判断して、ステップ４ａに移行する。
【００５５】
ステップ４ｅにおいて制御部２０は、ステップ４ｃにて検出した患者名と、上記抽出した条件情報に含まれる不穏行動の内容と、この患者が不穏行動を取る可能性が高い状況となった旨を示す文字情報を生成する。文字情報の一例としては、「３０１号室山田太郎さんが徘徊する可能性があります。」などが考えられる。
【００５６】
そして制御部２０は、入力表示Ｉ／Ｆ２７を通じてタッチパネル／表示器２７１に上記文字情報を表示して、当該ナースコール親機２の周囲にいる医療従事者に注意を促すとともに、通信Ｉ／Ｆ２４を制御して、ハンディナースコール主装置３を通じて携帯端末７１〜７ｍに上記文字情報を送信する。
【００５７】
これにより、携帯端末７１〜７ｍには、上記文字情報が表示されるとともに、報知音が発せられ、医療従事者は、表示される患者名の患者が不穏行動を取る可能性が高い状況にあることを認識できる。
【００５８】
またステップ４ｆにおいて制御部２０は、通信Ｉ／Ｆ２９を監視し、気象情報取得装置３００から通信要求が生じていないかを判断する。ここで、気象情報取得装置３００から通信要求が生じている場合には、ステップ４ｇに移行し、一方、通信要求が生じていない場合には、ステップ４ｉに移行する。
【００５９】
ステップ４ｇにおいて制御部２０は、通信Ｉ／Ｆ２９を制御して、気象情報取得装置３００から気象情報を受信し、ステップ４ｈに移行する。  
ステップ４ｈにおいて制御部２０は、ステップ４ｇにて受信した気象情報の集計処理を実施する。具体的には、制御部２０は、データメモリ２２が記憶する気象情報テーブルに、ステップ４ｇにて受信した気象情報を追加記録し、ステップ４ａに移行する。
【００６０】
ステップ４ｉにおいて制御部２０は、入力表示Ｉ／Ｆ２７を監視し、タッチパネル／表示器２７１を通じて、医療従事者などが、不穏行動に関する情報の入力要求を行ったか否かを判定する。ここで、上記入力要求があった場合には、ステップ４ｊに移行し、一方、上記入力要求がない場合には、ステップ４ａに移行する。
【００６１】
ステップ４ｊにおいて制御部２０は、医療従事者などから不穏行動に関する情報の入力を受け付ける。具体的には、制御部２０は、タッチパネル／表示器２７１を通じて、不穏行動を取った患者名、行動内容および行動時刻の入力を受け付けて、ステップ４ｋに移行する。
【００６２】
ステップ４ｋにおいて制御部２０は、ステップ４ｊで受け付けた情報、データメモリ２２に記憶されるバイタル情報管理テーブルおよび気象情報テーブルの各情報に基づいて、患者Ｐが不穏行動を取った際の患者Ｐの身体状態と環境を分析し、患者Ｐが不穏行動を取る可能性が高い状況を求め、これを条件情報として条件管理テーブルに記録する。
【００６３】
具体的には、制御部２０は、バイタル情報管理テーブルに記憶されるバイタル情報のうち、ステップ４ｊで受け付けた患者名の患者について、ステップ４ｊで受け付けた行動時刻付近におけるバイタル情報を検出するとともに、気象情報テーブルからステップ４ｊで受け付けた行動時刻付近における気象情報を検出する。
【００６４】
そして制御部２０は、これら検出したバイタル情報および気象情報を、ステップ４ｊで受け付けた情報（患者名、行動内容および行動時刻）に対応づけて、条件情報として、データメモリ２２の条件管理テーブルに記録し、ステップ４ａに移行する。
【００６５】
以上のように、上記構成の行動予測システムでは、ナースコール親機２において、患者毎にバイタル情報を集計（ステップ４ｃ）するとともに、気象情報を集計（ステップ４ｈ）しておく。
【００６６】
そして、患者が不穏な行動を取った場合に、医療従事者などが、不穏行動に関する情報（患者名、行動内容および行動時刻）を入力（ステップ４ｊ）し、この入力された不穏行動時付近における情報に基づいて、不穏行動を取った患者Ｐの身体状態と環境を分析し、患者Ｐが不穏行動を取る可能性が高い状況を条件情報として記録しておく（ステップ４ｋ）。
【００６７】
そして、患者毎にバイタル情報の集計（ステップ４ｃ）を継続し、この集計結果が上記条件情報に一致あるいは類似する場合に、タッチパネル／表示器２７１や携帯端末７１〜７ｍを通じて、不穏行動を取る可能性が高い表示される患者を医療従事者に報知するようにしている（ステップ４ｅ）。
【００６８】
以上のように本願発明に関わる行動予測システムは、予め設定した身体情報と気象情報とを対応づけて条件情報として記憶する記憶手段と、患者から身体の状態を示す情報を検出する身体情報検出手段と、気象情報を検出する気象情報検出手段と、前記身体情報検出手段が検出した情報と前記気象情報検出手段が検出した情報を、前記記憶手段が記憶する条件情報とを比較して、前記患者が不穏な行動を取る虞があるか否かを判定する判定手段と、この判定手段が不穏な行動を取る虞があると判定した場合に、この旨を報知する報知手段とを具備するようにしている。
【００６９】
患者の身体状態と天候などの環境条件の間には何らかの因果関係があることが知られており、各方面で研究が進められている。本願発明は、患者の身体状態と天候などの環境条件を併せて考慮して、患者の不穏行動を予測するようにしている。
【００７０】
したがって、上記構成の行動予測システムによれば、これまで医療従事者の経験に頼っていた不穏行動の予測を、患者の身体状態や天候などの環境条件により予測することができるので、医療従事者の負担を軽減し、患者の不穏行動を予測して、その旨を医療従事者に報知することができる。
【００７１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００７２】
その一例として例えば、上記実施の形態では、ステップ４ｊにおいて、不穏行動に関する情報入力を医療従事者などが入力するようにしていたが、病室や院内に患者の不穏行動を検出するセンサを多数設け、このセンサが患者の不穏行動を検出した場合に、患者携帯端末２００から識別情報Ｐ−ＩＤを受信して患者名を識別し、検出したセンサの位置などから不穏行動内容を判定し、患者携帯端末２００のタイマ２０８から不穏行動の時刻を取得して、これらの患者名、行動内容、行動時刻に基づいて、ステップ４ｋの分析処理を行うようにしてもよい。これによれば、医療従事者などの手を煩わすことなく、必要な情報の蓄積が可能となる。
【００７３】
また上記実施の形態では、当該発明に関わる行動予測システムをナースコールシステムに適用した場合を例に挙げて説明したが、単独の装置として実現することも可能である。  その他、この発明の要旨を逸脱しない範囲で種々の変形を施しても同様に実施可能であることはいうまでもない。
【図面の簡単な説明】
【００７４】
【図１】この発明に係わるナースコールシステムの一実施形態の構成を示す図。
【図２】図１に示したナースコールシステムの増設無線端末および患者携帯端末の構成を示す回路ブロック図。
【図３】図１に示したナースコールシステムのナースコール親機の構成を示す回路ブロック図。
【図４】図１に示したナースコールシステムのナースコール親機の動作を説明するためのフローチャート。
【符号の説明】
【００７５】
１１〜１ｎ…病室ユニット、２…ナースコール親機、３…ハンディナースコール主装置、４…ＰＢＸ、５…公衆網、６…無線ユニット、６１，６２…無線基地局、７…ＬＡＮ、７１〜７ｍ…携帯端末、８…ハブ、９…看護支援サーバ、１０…プリンタ、１０１…マイクロホン、１０２…スピーカ、１０３…トイレ・浴室用押しボタン、１０４…代表廊下灯、１０５…復旧ボタン、１０６…Ｉ／Ｏユニット、１０７…個別情報廊下灯、１０８…インターフェース盤、１０９…ハンド型子機、１１０…握り押しボタン、２０…制御部、２１…プログラムメモリ、２２…データメモリ、２３，２４，２９…通信Ｉ／Ｆ、２５…ネットワークＩ／Ｆ、２６…通話Ｉ／Ｆ、２６１…マイクロホン、２６２…スピーカ、２７…入力表示Ｉ／Ｆ、２７１…タッチパネル／表示器、２８…タイマ、２００…患者携帯端末、２０１…操作部、２０２…無線通信部、２０３…表示部、２０４…警報部、２０５…記憶部、２０６…通話部、２０７…センサ部、２０８…タイマ、２０９…バッテリ、２１０…制御部、３００…気象情報取得装置、１１００…増設無線端末、１１０１…無線通信部、１１０３…記憶部、１１０４…表示部、１１０５…操作部、１１０６…警報部、１１１０…制御部。
【図１】
2006079328.tif 000003
【図２】
2006079328.tif 000004
【図３】
2006079328.tif 000005
【図４】
2006079328.tif 000006